(57)【要約】【課題】低床建築において高さの調節幅が大きく堅牢かつメンテナンス性もよい金属製床束を提供する。【解決手段】基礎等の上に設置される基台部１と、床部材を支受する支受部４と、上記基台部１と支受部４との間において支受部４の高さ調節が可能となるように両者を連結する調節部７とを備え、上記調節部７は、支受部４の下面に突設された雄ねじである第１ねじ２と、基台部１の上面に突設された雌ねじである第２ねじ３と、上記第１ねじ２の雄ねじがら着される雌ねじ部２２および上記第２ねじ３の雌ねじ２２にら着する雄ねじ部がともに形成されて第１ねじ２と第２ねじ３を結合させる結合ねじ１９とで構成したことにより、第１ねじと結合ねじのら着と、結合ねじと第２ねじのら着との２つのねじ結合により高さの調節幅を十分に確保し、低床建築における床部材の高さ調節に好適なものとなった。【選択図】図５
2004044191.tif 000002
【特許請求の範囲】
【請求項１】
基礎等の上に設置される基台部と、床部材を支受する支受部と、上記基台部と支受部との間において支受部の高さ調節が可能となるように両者を連結する調節部とを備え、
上記調節部は、基台部と支受部のいずれか一方に回転可能に突設された雄ねじである第１ねじと、他方に突設された雌ねじである第２ねじと、上記第１ねじの雄ねじがら着される雌ねじ部および上記第２ねじの雌ねじにら着する雄ねじ部がともに形成されて第１ねじと第２ねじを結合させる結合ねじとを備えて構成されていることを特徴とする金属製床束。
【請求項２】
上記第２ねじが端部に雌ねじが形成された中空部材であり、結合ねじの雄ねじ部先端にら進を阻止するら進阻止部が形成されるとともに、上記結合ねじがら進阻止部と反対側の端部に雌ねじ部が形成された中空部材であり、第１ねじの雄ねじ先端部にら進を阻止するら進阻止部が形成されている請求項１記載の金属製床束。
【請求項３】
上記第２ねじが基台部に設けられるとともに、上記第１ねじが支受部に設けられ、上記第１ねじを支受部の上側から回転させうる工具嵌合部が形成されている請求項１または２記載の金属製床束。
【発明の詳細な説明】
【０００１】
【発明の属する技術分野】
本発明は、戸建住宅等の建物の床下にあって、束石やべた基礎等の上に固定され、大引を支受する金属製床束に関するものである。
【０００２】
【従来の技術】
従来から、戸建住宅等の建物の床下で大引を支受する束としては、木製のものが用いられてきた。このような木製束は、基礎から大引までの高さを計測し、木材を切断場所に運んで上記計測寸法に合わせて切断し、この所定寸法の木材を基礎上に設置して大引を支受することが行われる。上記一連の作業が複数の作業員によって行われる場合も多く、高さの計測と木材の切断・取付が違う作業員によって行われ、取付場所が間違えられることもしばしばある。このような場合には、束の高さを大引の高さに調節するため、楔型に切断した木材を隙間に打ち込むことが行われている。
【０００３】
上記のような木製束では、木材を所定寸法に切断する作業や、楔による高さ調節作業が極めて煩雑である。しかも、木材の吸水や乾燥等によってソリが生じ易く、荷重による変形も生じやすい。また、束材には主として端材が用いられるため材質もバラバラで、変形や狂いも材質によって差があるため、精度面に問題がある。
【０００４】
そこで、最近では、木製束に代わって、鋼製の床束が利用されるようになってきている。上記鋼製束は、図９に示すように、大引１０を支受する支受プレート１１と、束石１２やコンクリート基礎にくぎ１７等で固定される土台プレート１３とを備えている。そして、上記支受プレート１１の下面にねじ棒１４が垂設されるとともに、土台プレート１３の上面にねじ棒１５が立設され、上記両ねじ棒１４，１５がターンバックル部１６で連結されている。この鋼製束は、ターンバックル部１６を回転させることにより支受プレート１１を昇降させて高さ調節をするようになっている。このような鋼製束によれば、作業時間の短縮による工期の短縮が可能となるうえ、大引の寸法変化に合わせるための「後調節」が容易で精度面の問題が解消する。
【０００５】
【発明が解決しようとする課題】
上記床束では、支受プレート１１に垂設されたねじ棒１４と土台プレート１３に立設されたねじ棒１５をターンバックル部１６で連結した構造になっているため、床束自体に一定以上の高さが必要になる。一方、最近の住宅では、小さい面積の土地をできるだけ有効に利用した設計がなされる場合が多く、都市部を中心に、３階建て住宅やガレージの上に部屋を設けた住宅が増えてきている。このような場合、床下の高さが６０〜１００ｍｍ程度と非常に低く、上記従来の床束は高さ寸法が高すぎて使用することができず、小型のものをつくったとしても調節幅が小さすぎるという問題があった。
【０００６】
そこで、上記のような低床建築の場合、角材を横に渡し、この角材を束としてその上に床を張ることが行われている。このように、低床建築では依然として木製の束が用いられ、腐朽による老朽化やそりによる狂いの問題が残っている。しかも、上記のような低床建築では、床下のスペースが極めて狭いため、一旦腐朽や狂いが生じた場合のメンテナンスが困難を極める、事実上不可能であるという問題がある。そこで、プラスチック束が使用される場合もあるが、プラスチック束は強度的に不十分で過重に耐えかねるうえ、木材にそりや狂いが生じた場合の後調節ができず、狂いが生じた場合は床を剥がして再度新しいプラスチック束を取りつけなければならないという問題がある。しかも、上記低床建築では、床下スペースが狭いことから、床下の異音が室内に響きやすく、ここに使用する床束としては、床鳴りの極めて少ないものが求められる。
【０００７】
さらに、マンション建築等では、コンクリート上に直接床材を張ると、硬くて老人や子供が骨折しやすいという問題があるうえ、冬場の寒さも問題となる。また、配管や配線を床下に施工したり、防音上の要請等から、上述の低床建築と同様の角材の束やプラスチック束を用いて床を張ることが行われている。このような場合や、コンクリートスラブ上に部屋等を建てた場合等は特に床下に湿気がこもりやすく、上述したような腐朽や狂いが大きな問題となっている。しかも、マンション等は集合住宅であることから、特に床鳴りや防音上の問題が大きかった。これらのような事情から、低床建築等において高さの調節幅が大きくて堅牢かつメンテナンス性もよい床束の開発が強く望まれていたが、現在までのところ、このような要望をすべて満足する床束は提供されていなかったのが実情である。
【０００８】
本発明は、このような事情に鑑みなされたもので、低床建築において高さの調節幅が大きく堅牢かつメンテナンス性もよい金属製床束の提供をその目的とする。
【０００９】
【課題を解決するための手段】
上記の目的を達成するため、本発明の金属製床束は、基礎等の上に設置される基台部と、床部材を支受する支受部と、上記基台部と支受部との間において支受部の高さ調節が可能となるように両者を連結する調節部とを備え、
上記調節部は、基台部と支受部のいずれか一方に回転可能に突設された雄ねじである第１ねじと、他方に突設された雌ねじである第２ねじと、上記第１ねじの雄ねじがら着される雌ねじ部および上記第２ねじの雌ねじにら着する雄ねじ部がともに形成されて第１ねじと第２ねじを結合させる結合ねじとを備えて構成されていることを要旨とする。
【００１０】
すなわち、本発明の金属製床束は、上記調節部は、基台部と支受部のいずれか一方に回転可能に突設された雄ねじである第１ねじと、他方に突設された雌ねじである第２ねじと、上記第１ねじの雄ねじがら着される雌ねじ部および上記第２ねじの雌ねじにら着する雄ねじ部がともに形成されて第１ねじと第２ねじを結合させる結合ねじとを備えて構成されている。このため、第１ねじと結合ねじのら着と、結合ねじと第２ねじのら着との２つのねじ結合により高さ調節を行なうため高さの調節幅を十分に確保できる。その結果、第１ねじ、結合ねじ、第２ねじのそれぞれの高さ寸法を小さく設定することが可能となり、床束自体の高さを低くすることができ、低床建築用として用いることができる。そして、従来の角材の束のような腐朽による老朽化やそりによる狂いの問題がほとんどなくなるため、床下スペースが狭くメンテナンスが困難な低床建築やマンション等において極めて有効である。さらに、プラスチック束に比較して極めて堅牢で、大引等の上方向へのそりにも耐えられるうえ、そりや狂いが生じた場合の後調節も容易に実施することができ、取替えの必要もない。
【００１１】
本発明の金属製床束において、上記第２ねじが端部に雌ねじが形成された中空部材であり、結合ねじの雄ねじ部先端にら進を阻止するら進阻止部が形成されるとともに、上記結合ねじがら進阻止部と反対側の端部に雌ねじ部が形成された中空部材であり、第１ねじの雄ねじ先端部にら進を阻止するら進阻止部が形成されている場合には、第１ねじと結合ねじおよび結合ねじと第２ねじのすっぽ抜けが防止され、どの程度回転させたのかを逐一確認しながら高さ調節作業を行なう必要がなくなり、作業性が格段に向上する。特に、第１ねじと結合ねじのら着状態と、結合ねじと第２ねじのら着状態とは、いずれもフリーで回転しら進し、第１ねじの回転ではいずれかを選択して回転させるような制御が困難であることから、上記すっぽ抜け防止の効果が顕著に現れる。
【００１２】
本発明の金属製床束において、上記第２ねじが基台部に設けられるとともに、上記第１ねじが支受部に設けられ、上記第１ねじを支受部の上側から回転させうる工具嵌合部が形成されている場合には、上記工具嵌合部にドライバや六角レンチを嵌合させ、第１ねじの回転を支受部の上側から行なうことができるため、高さが低い床の高さ調節の作業性が大幅に向上する。この場合、上からの作業であって調節部がどの程度の高さになっているかの確認が行ないにくいことから、特に、上述したようなら進阻止部を設けたねじのすっぽ抜けを防止する効果が顕著に現れる。
【００１３】
本発明の金属製床束において、上記支受部に複数のくぎ穴が穿設され、この支受部の支受面に弾性板が布設され、この弾性板の上記支受部のくぎ穴に対応する個所に、上記くぎ穴内に嵌合する嵌合突部が一体的に形成され、この嵌合突部の中央に、くぎ等を位置決めする位置決め穴が穿設されている場合には、支受部が床部材にくぎ打ちされたとき、これらの間に弾性板が挟まれた状態で固定される。したがって、建築当初から時間が経過して床部材に「やせ」が生じても、上記弾性板が、クッションとなり、支受部と床部材との間に隙間が生じにくくなる。しかも、床の上で大人が歩いても上記クッション作用でその振動が吸収されるうえ、床部材と支受部との間で上記弾性板が摺動板としての作用も奏し、きしみ音の発生が大幅に抑えられる。また、支受部が床部材にくぎ打ち等により取り付けられる際、くぎ穴内に嵌合した嵌合突部中央の位置決め穴に、くぎ等の先端が位置決めされ、上記位置決め穴に沿って嵌合突部の中央をくぎ等が貫通する。したがって、くぎ等と支受部のくぎ穴内面とが直接接触せず、くぎ等と支受部との金属同士が直接擦れることによるきしみ音が防止される。このように、床下の異音や床鳴りの極めて少ないものとなり、床下スペースが少ない低床建築や集合住宅，マンション等において極めて有効である。
【００１４】
【発明の実施の形態】
つぎに、本発明の実施の形態を詳しく説明する。
【００１５】
図１〜図５は、本発明の金属製床束の一実施の形態を示す。この金属製床束は、基礎等の上に設置される基台部１と、正面視においてＬ字状に形成されて大引１０等の床部材を支受するＬ形の支受部４と、上記基台部１と支受部４との間において支受部４の高さ調節が可能となるように両者を連結する調節部７とを備えている。
【００１６】
上記支受部４には、第１ねじ２が回転可能に下向きに突設されている。上記第１ねじ２は雄ねじであり、その根元部には第１ねじ２を回転させる際に工具を嵌合させる薄型ナット２３が取り付けられている。一方、基台部には第２ねじ３が上向きに突設されている。この第２ねじ３は雌ねじであり、外周部が六角状に形成され、工具を嵌合させうるようになっている。
【００１７】
そして上記調節部７は、支受部４の下面に形成された第１ねじ２と、基台部１に形成された第２ねじ３と、上記第１ねじ２の雄ねじがら着される雌ねじ部２２および上記第２ねじ３の雌ねじにら着する雄ねじ部２４がともに形成されて第１ねじ２と第２ねじ３を結合させる結合ねじ１９とから構成されている。
【００１８】
より詳しく説明すると、上記基台部１は、平面視において略長方形に形成された鋼製の板状体の中央に台状の盛り上り部８が形成され、この盛り上り部８の最も高くなった中央部に第２ねじ棒３が立設されている。
【００１９】
上記基台部１には、径の異なる複数の穴が穿設されている。これらのうち、基台部１の周辺部分に８個分布穿設された小径の穴は、基台部１を束石等にくぎ打ちにより固定するためのくぎ穴９である。また、上記くぎ穴９よりも少し内側寄りの部分に６個分布穿設された中径の穴は、基台部１の下面に接着剤を塗布して基台部１を基礎上に接着固定する際に、接着剤を流通させて上側にはみ出させ、そのはみ出した接着剤をそのまま固化させて固定を確実にするための接着剤流通穴５である。さらに、２個穿設された大径の穴は、基台部１を基礎に設けられたアンカーボルトによって固定する際に、上記アンカーボルトを挿通させるアンカーボルト挿通穴６である。なお、上記接着剤流通穴５，アンカーボルト挿通穴６，くぎ穴９は、接着剤塗布の際のエア抜き穴や、接着剤乾燥用の穴としての作用も奏する。
【００２０】
上記支受部４は、長方形の鋼板がＬ字状に折り曲げ形成されたＬ形の横片４ａの下面中央に、台状の盛り上り部８が形成されている。また、上記横片４ａには、その四隅寄りの４個所にくぎ穴９が穿設されている。また、縦片４ｂには、高さの異なる２個所にくぎ穴９が穿設されている。
【００２１】
そして、支受部４のＬ形の受け面には、同じくＬ形の弾性板１８が布設されている。この弾性板１８は、ポリエチレン樹脂製であり、全体が略長方形に形成され、支受部４の横片４ａに対応する横片部１８ａと、支受部４の縦片４ｂに対応する縦片部１８ｂと、支受部４の折れ曲がり部分に対応して折り曲げられる薄肉部１８ｃとからなっている。そして、この弾性板１８には、図６に示すように、上記支受部４のくぎ穴９に対応する個所に、上記くぎ穴９に嵌合する嵌合突部２０が形成されている。
【００２２】
上記嵌合突部２０は、略円柱状で、中央にくぎの先端を位置決めする位置決め穴２１が貫通するとともに、中央に所定幅の隙間が形成され、この隙間を介して縦割れの２分割状に形成されている。また、この嵌合突部２０の先端部は、半球状に形成され、その外周がくぎ穴９と係脱自在に係合する抜け止め突部に形成されている。そして、この嵌合突部２０は、支受部４のくぎ穴９に着脱自在に嵌合し、これにより支受部４の受け面に弾性板１８が布設されるようになっている。
【００２３】
上記調節部７は、上述したように、支受部４の下面に形成された第１ねじ２と、基台部１に形成された第２ねじ３と、上記第１ねじ２と第２ねじ３を結合させる結合ねじ１９とから構成されている。
【００２４】
上記第１ねじ２は中実状に形成された雄ねじであり、上記第２ねじ３は上端部に雌ねじが形成された中空部材である。また、上記結合ねじ１９も上端部に雌ねじが形成された中空部材である。そして、第１ねじ２は結合ねじ１９上端部の雌ねじにら着され、その結合ねじ１９は、第２ねじ３上端部の雌ねじにら着される。
【００２５】
これにより、上記第１ねじ２を回動させることにより、第１ねじ２と結合ねじ１９同士および結合ねじ１９と第２ねじ３同士がら進することにより、支受部４が上下動し、支受部４上に支受された大引１０等の床部材の高さ調節を行なうようになっている。そして、図５に示すように、上記第１ねじ２は中空状の結合ねじ１９の中空部に収まり、その結合ねじ１９は、中空状の第２ねじ３の中空部に収まるようになっているため、全体の高さを極めて低くすることができ、低床建築に好適なものとなる。また、第１ねじ２と結合ねじ１９同士および結合ねじ１９と第２ねじ３同士の２つのねじ結合で高さ調節を行なうことから、調節幅を大きくすることが可能である。このように、コンパクトさと調節幅の確保とを両立することができたのである。
【００２６】
図３は、上記弾性板１８を取り外した状態を示す。この図に示すように、第１ねじ２の上端部が支受部４の上側に露呈し、この上端面に、上記第１ねじ２を支受部４の上側から回転させうる工具嵌合部２７が形成されている。このようにすることにより、上記工具嵌合部２７にドライバ等の工具を嵌合させ、第１ねじ２の回転を支受部４の上側から行なうことができるため、高さが低い床の高さ調節の作業性が大幅に向上する。
【００２７】
そして、第１ねじ２の雄ねじ下端部には、ら進を阻止するら進阻止部２５が形成され、結合ねじ１９の雄ねじ下端部にも、ら進を阻止するら進阻止部２６が形成されている。上記各ら進阻止部２５，２６は、雄ねじのねじ山を塑性変形させて潰し、雌ねじとのら合を阻止するようにしたものである。
【００２８】
このようにすることにより、第１ねじ２と結合ねじ１９および結合ねじ１９と第２ねじ３のすっぽ抜けが防止され、どの程度回転させたのかを逐一確認しながら高さ調節作業を行なう必要がなくなり、作業性が格段に向上する。特に、第１ねじ２と結合ねじ１９のら着状態と、結合ねじ１９と第２ねじ３のら着状態とは、いずれもフリーで回転してら進し、第１ねじ２の回転ではいずれかを選択して回転させるような制御が困難である。そして、上述したように、第１ねじ２を回転させて高さ調節をする作業が、上からの作業であって調節部７がどの程度の高さになっているかの確認が行ないにくいことから、特に、上述したようなら進阻止部を設けたねじのすっぽ抜けを防止する効果が顕著に現れる。
【００２９】
上記構成において、上記金属製床束は、例えば、つぎのようにして使用することができる。すなわち、図７に示すように、基台部１をコンクリート基礎またはスラブ上に固定する。この状態で、上記第１ねじ２を回動させることにより、支受部４が上下動して床面の高さ調節が行われる。そして、支受部４が所定の高さに設定された状態で、支受部４に大引または根太（床部材）１０を固定し、必要に応じて、接着剤等を用いて第１ねじ２，結合ねじ１９，第２ねじ３の回転止めを行なう。このようにすることにより、高さの狂いを防止できるうえ、自由回転部分がなくなるため、鳴りの発生も防止される。
【００３０】
ここで、上記支受部４の大引１０への固定は、つぎのようにして行われる。支受部４の弾性板１８の縦片部１８ｂおよび横片部１８ａの双方に大引１０を当接させるように位置決めする。ついで、くぎ穴９に嵌合されて外側に露呈する嵌合突部２０の位置決め穴２１に、くぎの先端を位置決めし、その状態から、くぎを位置決め穴２１内に沿って貫通させるように打ち付ける。そして、嵌合突部２０を変形させて押しつぶすようにしながら、くぎが貫通して大引１０に打ち込まれる。これにより、支受部４が大引１０にくぎ打ちされたとき、弾性板１８が挟まれた状態で固定される（図１参照）。また、くぎと支受部４との間に押しつぶされた嵌合突部２０が挟まれるようになり、くぎと支受部４とが直接接触することなく固定することができる。
【００３１】
また、基台部１の束石１２への固定は、例えば、つぎのようにして行う。まず、基台部１の下面に、接着剤を塗布して束石１２上面に基台部１を接着する。このとき、上記基台部１に分布穿設された接着剤流通穴５を通って接着剤が上側にはみ出し、そのはみ出た部分の接着剤が固化してアンカー効果で強固に固定される。また、接着剤流通穴５からはみ出た部分の接着剤は、空気中の水分と反応しやすくなったり、溶剤が揮発しやすくなったりするため、接着剤の硬化促進作用も有する。このとき、上記接着剤流通穴５，アンカーボルト挿通穴６およびくぎ穴９がエア抜き効果も奏する。そののち、基台部１に形成されたくぎ穴９を利用してくぎを打ちつけ、基台部１を束石１２に固定する。
【００３２】
このように、上記金属製床束によれば、第１ねじ２と結合ねじ１９のら着と、結合ねじ１９と第２ねじ３のら着との２つのねじ結合により高さ調節を行なうため高さの調節幅を十分に確保できる。その結果、第１ねじ２、結合ねじ１９、第２ねじ３のそれぞれの高さ寸法を小さく設定することも可能となり、床束自体の高さを低くすることができ、低床建築用として用いることができる。そして、従来の角材の束のような腐朽による老朽化やそりによる狂いの問題がほとんどなくなるため、床下スペースが狭くメンテナンスが困難な低床建築やマンション等において極めて有効である。さらに、プラスチック束に比較して極めて堅牢で、大引等の上方向へのそりにも耐えられるうえ、そりや狂いが生じた場合の後調節も容易に実施することができ、取替えの必要もない。
【００３３】
また、支受部４が大引１０にくぎ打ちされたとき、弾性板１８が挟まれた状態で固定される。したがって、大引１０に「やせ」が生じても、上記弾性板１８がクッションとなり、支受部４と大引１０との間に隙間が生じにくくなるうえ、振動が吸収され、きしみ音の発生が抑えられる。また、支受部４が大引１０にくぎ打ちにより取り付けられる際、くぎ穴９に嵌合した嵌合突部２０中央の位置決め穴２１に、くぎの先端が位置決めされ、上記位置決め穴２１に沿って嵌合突部２０の中央をくぎが貫通する。したがって、くぎと支受部４とが接触せず、金属同士が直接擦れることによるきしみ音が防止される。
【００３４】
図８は、本発明の金属製床束の第２の実施の形態を示す。このものは、支受部４と基台部１との間の調節部７が、図１に示すものとは逆になっている。それ以外は上記第１の実施の形態と同様であり、同様の部分には同じ符号を付している。このものでも、上記第１の実施の形態と同様の作用効果を奏する。
【００３５】
なお、上記各実施の形態では、弾性板１８をポリエチレン樹脂で形成したが、これに限定されるものではなく、天然ゴム，合成ゴム等の各種ゴム材料や、ウレタン系樹脂，シリコーン系樹脂等の各種樹脂材料等各種の材料を用いることができる。また、支受部４と大引１０との固定および基台部１と束石１２との固定にくぎを使用した例を説明したが、これに限定するものではなく、支受部４もしくは基台部１のくぎ穴９にビス等を挿通させてビス止め等によって固定しても差し支えない。
【００３６】
また、上記各実施の形態では、支受部材としてＬ型の支受部４を用いた例を示したが、平板状のものを用いてもよい。さらに、上記各実施の形態では、本発明の金属製床束を戸建て住宅に使用した例を説明したが、これに限定するものではなく、マンションや集合住宅で使用してもよく、ベランダや庭，公園等屋外で床材等を張る場合にも使用することができる。
【００３７】
また、上記各実施の形態では、ロックナットを取り付けなかったが、第１ねじ２と結合ねじ１９の少なくともいずれかにロックナットをら着することもできる。このように、ロックナットでゆるみ止めを行うことにより、高さの狂いを防止できるうえ、自由回転部分がなくなるため、鳴りの発生も防止される。
【００３８】
【発明の効果】
以上のように、本発明の金属製床束によれば、第１ねじと結合ねじのら着と、結合ねじと第２ねじのら着との２つのねじ結合により高さ調節を行なうため高さの調節幅を十分に確保できる。その結果、第１ねじ、結合ねじ、第２ねじのそれぞれの高さ寸法を小さく設定することが可能となり、床束自体の高さを低くすることができ、低床建築用として用いることができる。そして、従来の角材の束のような腐朽による老朽化やそりによる狂いの問題がほとんどなくなるため、床下スペースが狭くメンテナンスが困難な低床建築やマンション等において極めて有効である。さらに、プラスチック束に比較して極めて堅牢で、大引等の上方向へのそりにも耐えられるうえ、そりや狂いが生じた場合の後調節も容易に実施することができ、取替えの必要もない。
【図面の簡単な説明】
【図１】本発明の一実施の形態の金属製床束を示す正面図である。
【図２】上記金属製床束の右側面図である。
【図３】上記金属製床束の平面図である。
【図４】上記金属製床束の底面図である。
【図５】上記金属製床束のＡ−Ａ断面図である。
【図６】上記金属製床束のＢ−Ｂ断面図である。
【図７】上記金属製床束の使用状態を示す斜視図である。
【図８】本発明の第２の実施の形態の金属製床束を示す断面図である。
【図９】従来例の金属製床束を示す斜視図である。
【符号の説明】
１　　基台部
２　　第１ねじ
３　　第２ねじ
４　　支受部
４ａ　横片
４ｂ　縦片
５　　接着剤流通穴
６　　アンカーボルト挿通穴
７　　調節部
８　　盛り上り部
９　　くぎ穴
１０　　大引
１１　　支受プレート
１２　　束石
１３　　土台プレート
１４　　ねじ棒
１５　　ねじ棒
１６　　ターンバックル部
１７　　くぎ
１８　　弾性板
１８ａ　横片部
１８ｂ　縦片部
１８ｃ　薄肉部
１９　　結合ねじ
２０　　嵌合突部
２１　　位置決め穴
２２　　雌ねじ部
２３　　薄型ナット
２４　　雄ねじ部
２５　　ら進阻止部
２６　　ら進阻止部
２７　　工具嵌合部
【図１】
2004044191.tif 000003
【図２】
2004044191.tif 000004
【図３】
2004044191.tif 000005
【図４】
2004044191.tif 000006
【図５】
2004044191.tif 000007
【図６】
2004044191.tif 000008
【図７】
2004044191.tif 000009
【図８】
2004044191.tif 000010
【図９】
2004044191.tif 000011